(57)【要約】【課題】ブラケット部から分離した穿刺ガイドでガイド及び保持される穿刺針のブラインドゾーンを従来よりも小さくする。【解決手段】穿刺針２をガイド及び保持する穿刺ガイド１の超音波プローブ３への取付構造であって、前記超音波プローブ３における超音波の送受波面５を有する先端部６の側面に複数のガイド取付部４，４を設け、各ガイド取付部４，４に前記穿刺ガイド１，１を着脱自在に取り付けたことを特徴とする。各穿刺ガイド４，４によって保持された穿刺針２，２の取付角度はそれぞれで異なっている。【選択図】図１
2009153831.tif 000002
【特許請求の範囲】
【請求項１】
穿刺針をガイド及び保持する穿刺ガイドの超音波プローブへの取付構造であって、
前記超音波プローブにおける超音波の送受波面を有する先端部の側面にガイド取付部を設け、該ガイド取付部に前記穿刺ガイドを着脱自在に取り付けた
ことを特徴とする穿刺ガイドの取付構造。
【請求項２】
前記ガイド取付部を複数有する
ことを特徴とする請求項１に記載の穿刺ガイドの取付構造。
【請求項３】
前記各ガイド取付部に取り付けられた穿刺ガイドによって保持されている穿刺針の取付角度がそれぞれ異なるものである
ことを特徴とする請求項２に記載の穿刺ガイドの取付構造。
【請求項４】
前記穿刺ガイドによって保持された穿刺針の前記超音波プローブにおける取付角度が、所望の刺入角度となるように、前記複数のガイド取付部のうちから選択されたガイド取付部に前記穿刺ガイドが取り付けられる
ことを特徴とする請求項３に記載の穿刺ガイドの取付構造。
【請求項５】
前記複数のガイド取付部にそれぞれ前記穿刺ガイドが取り付けられ、前記超音波プローブにおける前記穿刺針の取付角度が、所望の刺入角度となる穿刺ガイドで前記穿刺針を保持させる
ことを特徴とする請求項３に記載の穿刺ガイドの取付構造。
【請求項６】
前記ガイド取付部を、前記超音波プローブの先端部の側面に一体に設けられた突起で構成し、
また、前記穿刺ガイドは、前記突起に係止させるための係止部を有する
ことを特徴とする請求項１，２，３，４又は５に記載の穿刺ガイドの取付構造。
【請求項７】
前記穿刺ガイドの係止部を、基部から互いに対向するように突出して前記ガイド取付部を構成する突起に挟着される一対の挟着片で構成した
ことを特徴とする請求項６に記載の穿刺ガイドの取付構造。
【請求項８】
前記一対の挟着片の対向面に凸部を設け、該凸部を前記突起に形成した凹部に係止させる
ことを特徴とする請求項７に記載の穿刺ガイドの取付構造。
【請求項９】
請求項１〜８に記載の穿刺ガイドの取付構造を有することを特徴とする超音波プローブ。
【請求項１０】
請求項９に記載の超音波プローブを備えることを特徴とする超音波診断装置。
【発明の詳細な説明】
【技術分野】
【０００１】
本発明は、超音波プローブに取り付けられて穿刺針をガイド及び保持する穿刺ガイドの取付構造、超音波プローブ及び超音波診断装置に関する。
【背景技術】
【０００２】
穿刺針を生体内に刺入して、腫瘍の焼灼治療を行ったり、組織を採取したりする穿刺術が行われている。この穿刺術では、超音波診断装置で刺入箇所の断面画像を確認しながら穿刺が行われる。具体的には、超音波の送受信を行う超音波プローブに穿刺用アダプタを取り付け、超音波撮像を行いながら前記穿刺用アダプタに形成されたガイド孔から穿刺針を生体に刺入している。
【０００３】
前記穿刺用アダプタとして、例えば特許文献１には、穿刺針のガイド孔が形成されてこのガイド孔で穿刺針を保持する穿刺ガイド部と、この穿刺ガイド部を超音波プローブに取り付けるためのブラケット部とを備えた穿刺用アダプタが開示されている。
【特許文献１】特開２００７−１１７１２８号公報
【発明の開示】
【発明が解決しようとする課題】
【０００４】
ところで、前記のように穿刺ガイド部とブラケット部とを備えた穿刺用アダプタにあって、生体に刺入した穿刺針を、前記ガイド孔から抜き取る際などに、ガイド孔やその周辺部に血液が付着することから、前記穿刺ガイド部と前記ブラケット部とを別体とし、前記穿刺ガイド部を前記ブラケット部に着脱自在に取り付けるようにして、前記穿刺ガイド部を使い捨てにできるようにしたものがある。しかし、このように前記穿刺ガイド部と前記ブラケット部とが別体になっている穿刺用アダプタにあっては、前記穿刺ガイド部を前記ブラケット部に取り付けるための構造が必要になるため、前記超音波プローブに取り付けたときに、一体のものに比べて前記穿刺針が前記超音波プローブから離れてしまう。これにより、針エコーの存在しない領域、すなわち穿刺針のブラインドゾーンが大きくなってしまう。
【０００５】
本発明の目的は、ブラケット部から分離した穿刺ガイドでガイド及び保持される穿刺針のブラインドゾーンを従来よりも小さくすることである。
【課題を解決するための手段】
【０００６】
この発明は、前記課題を解決するためになされたもので、第1の観点の発明は、穿刺針をガイド及び保持する穿刺ガイドの超音波プローブへの取付構造であって、前記超音波プローブにおける超音波の送受波面を有する先端部の側面にガイド取付部を設け、該ガイド取付部に前記穿刺ガイドを着脱自在に取り付けたことを特徴とする穿刺ガイドの取付構造である。
【０００７】
第２の観点の発明は、第１の観点の発明において、前記ガイド取付部を複数有することを特徴とする穿刺ガイドの取付構造である。
【０００８】
第３の観点の発明は、第２の観点の発明において、前記各ガイド取付部に取り付けられた穿刺ガイドによって保持されている穿刺針の取付角度がそれぞれ異なるものであることを特徴とする穿刺ガイドの取付構造である。
【０００９】
第４の観点の発明は、第３の観点の発明において、前記穿刺ガイドによって保持された穿刺針の前記超音波プローブにおける取付角度が、所望の刺入角度となるように、前記複数のガイド取付部のうちから選択されたガイド取付部に前記穿刺ガイドが取り付けられることを特徴とする穿刺ガイドの取付構造である。
【００１０】
第５の観点の発明は、第３の観点の発明において、前記複数のガイド取付部にそれぞれ前記穿刺ガイドが取り付けられ、前記超音波プローブにおける前記穿刺針の取付角度が、所望の刺入角度となる穿刺ガイドで前記穿刺針を保持させる
ことを特徴とする穿刺ガイドの取付構造である。
【００１１】
第６の観点の発明は、第１，２，３，４又は５の観点の発明において、前記ガイド取付部を、前記超音波プローブの先端部の側面に一体に設けられた突起で構成し、また、前記穿刺ガイドは、前記突起に係止させるための係止部を有することを特徴とする穿刺ガイドの取付構造である。
【００１２】
第７の観点の発明は、第６の観点の発明において、前記穿刺ガイドの係止部を、基部から互いに対向するように突出して前記ガイド取付部を構成する突起に挟着される一対の挟着片で構成したことを特徴とする穿刺ガイドの取付構造である。
【００１３】
第８の観点の発明は、第７の観点の発明において、前記一対の挟着片の対向面に凸部を設け、該凸部を前記突起に形成した凹部に係止させることを特徴とする穿刺ガイドの取付構造である。
【００１４】
第９の観点の発明は、第１〜８の観点の発明に係る穿刺ガイドの取付構造を有することを特徴とする超音波プローブである。
【００１５】
第１０の観点の発明は、第９の観点の発明に係る超音波プローブを備えることを特徴とする超音波診断装置である。
【発明の効果】
【００１６】
第１の観点の発明によれば、前記穿刺ガイドを、従来のようにブラケット部を介することなく、前記超音波プローブに設けられたガイド取付部に直接取り付けたので、ブラケット部を用いる場合と比べて、前記穿刺ガイドで保持された前記穿刺針の位置が前記超音波プローブから近くなる。これにより、穿刺針のブラインドゾーンを従来よりも小さくすることができる。
【００１７】
第２の観点の発明によれば、前記ガイド取付部を複数有するので、前記超音波プローブに前記穿刺ガイドを複数取り付けることができる。
【００１８】
第３の観点の発明によれば、前記各ガイド取付部に取り付けられた穿刺ガイドによって保持されている穿刺針の取付角度がそれぞれ異なるものであるので、前記穿刺ガイドを取り付けるガイド取付部を適宜選択することで、前記穿刺針の刺入角度を異なる角度とすることができる。
【００１９】
第４の観点の発明によれば、前記複数のガイド取付部のうちから、前記超音波プローブにおける穿刺針の取付角度が所望の刺入角度となるガイド取付部を選択して前記穿刺ガイドを取り付けることにより、前記穿刺針の刺入角度を所望の角度とすることができる。
【００２０】
第５の観点の発明によれば、前記複数のガイド取付部に取り付けられた前記穿刺ガイドの中から、前記超音波プローブにおける穿刺針の取付角度が所望の刺入角度となる穿刺ガイドで前記穿刺針を保持させるので、前記穿刺針の刺入角度を所望の角度とすることができる。
【００２１】
第６の観点の発明によれば、前記突起に前記穿刺ガイドの係止部を係止させることにより、前記穿刺ガイドを前記超音波プローブに直接取り付けることができる。
【００２２】
第７の観点の発明によれば、前記ガイド取付部を構成する突起に、前記穿刺ガイドの挟着片を挟着することにより、前記穿刺ガイドを取り付けることができる。
【００２３】
第８の観点の発明によれば、前記挟着片の凸部を前記突起に形成した凹部に係止させることにより、前記穿刺ガイドを取り付けることができる。
【００２４】
第９，１０の観点の発明によれば、第１〜８の観点の発明の効果を有する超音波プローブ及び超音波診断装置を得ることができる。
【発明を実施するための最良の形態】
【００２５】
以下、本発明の実施形態について図面に基づいて詳細に説明する。図１は、本発明の実施形態に係る穿刺ガイドの取付構造を有する超音波プローブを示す正面図、図２は、図１に示す超音波プローブから穿刺ガイドを取り外した状態を示す正面図、図３，４は、図２に示す超音波プローブの斜視図、図５は、穿刺ガイドの拡大斜視図である。
【００２６】
図において、１は穿刺針２をガイド及び保持する穿刺ガイド、３は超音波診断装置（図示省略）における超音波プローブであり、前記穿刺ガイド１は前記超音波プローブ３に設けられたガイド取付部４に着脱自在に取り付けられている。
【００２７】
前記ガイド取付部４は、前記超音波プローブ３における超音波ＵＳの送受波面５を有する先端部６の側面に２つ設けられている。本例では、前記ガイド取付部４は、前記超音波プローブ３の先端部６の側面に一体に設けられた第一突起７及び第二突起８で構成されている。
【００２８】
前記第一、第二突起７，８は、略三角柱形状となっており、正面視略逆三角形状となるようにして前記超音波プローブ３に設けられている。そして、前記第一突起７の斜面７ａと送受波面５とがなす角θ１（図２参照）と、前記第二突起８の斜面８ａと送受波面５とがなす角θ２（図２参照）とは異なる角度になっており、θ１＞θ２となっている。
【００２９】
前記第一突起７の対向面には、凹部９，９（一方のみ図示）がそれぞれ設けられ、これら凹部９，９は前記斜面７ａと平行な直線状に形成されている。また、前記第二突起８の対向面には、凹部１０，１０（一方のみ図示）が設けられ、これら凹部１０，１０は、前記斜面８ａと平行な直線状に形成されている。
【００３０】
前記穿刺ガイド１は、基部１１と、この基部１１から互いに対向するように突出して、前記第一，第二突起７，８に挟着される一対の挟着片１２，１３とで構成されている。前記基部１１には、前記穿刺針２が挿通されてこの穿刺針２をガイド及び保持するガイド孔１４が形成されている。
【００３１】
前記一対の挟着片１２，１３は、本発明においてガイド取付部を構成する突起に係止させるための係止部の実施の形態の一例である。前記挟着片１２，１３の間隔は、これらを前記第一，第二突起７，８に挟着できるような間隔となっている。
【００３２】
前記挟着片１２，１３の対向面１２ａ，１３ａには、それぞれ凸部１５，１６が設けられている。そして、前記挟着片１２，１３を弾性変形させて、前記凸部１５，１６を前記第一突起７の凹部９，９又は第二突起８の凹部１０，１０に係止させた状態で前記挟着片１２，１３を前記第一，第二突起７，８に挟着することにより、前記穿刺ガイド１が前記第一，第二突起７，８に取り付けられるようになっている。
【００３３】
前記穿刺ガイド１は、前記基部１１における前記挟着片１２，１３の突出面１１ａが前記第一，第二突起７，８の斜面７ａ，８ａと当接した状態で、前記第一，第二突起７，８に取り付けられる。前記斜面７ａ，８ａと前記送受波面５とがなす角θ１，θ２は異なるものとなっているので、前記穿刺ガイド１を前記第一突起７に取り付けたときと、前記第二突起８に取り付けたときとでは、前記穿刺ガイド１によって保持されている前記穿刺針２の取付角度を異なるものとすることができる。上述のように、本例ではθ１＞θ２となっているので、前記第二突起８に取り付けられた前記穿刺ガイド１で保持されている穿刺針２よりも、前記第一突起７に取り付けられた前記穿刺ガイド１で保持されている穿刺針２の方が、生体に対してより鋭角に刺入される。
【００３４】
前記穿刺ガイド１にあっては、この穿刺ガイド１によって保持された前記穿刺針１の前記超音波プローブ３における取付角度が、所望の刺入角度となるように、前記第一突起７又は前記第二突起８のいずれかを選択して取り付けられる。あるいは、予め前記第一突起７及び前記第二突起８の両方に前記穿刺ガイド１を取り付けておき、前記超音波プローブ３における前記穿刺針２の取付角度が、所望の刺入角度となる方を選択して前記穿刺針２を保持させるようにしてもよい。
【００３５】
また、前記第一突起７及び前記第二突起８の両方に前記穿刺ガイド１を取り付け、両方の穿刺ガイド１で前記穿刺針２を保持させるようにしてもよい。
【００３６】
前記第一，第二突起７，８に取り付けられた前記穿刺ガイド１は、前記穿刺針２の使用後には、前記挟着片１２，１３を弾性変形させて取り外すことができる。
【００３７】
本実施形態によれば、前記穿刺ガイド１を、従来のようにブラケット部を介することなく、前記超音波プローブ３に設けられたガイド取付部４に直接取り付けたので、ブラケット部を用いる場合と比べて、前記穿刺ガイド１で保持された前記穿刺針２の位置が前記超音波プローブ３から近くなる。これにより、前記穿刺針２のブラインドゾーンを従来よりも小さくすることができる。
【００３８】
また、前記ガイド取付部４を２つ有するので、前記穿刺ガイド１を２つ取り付けることができ、前記超音波プローブ３に対して複数の穿刺針２の取り付けが可能である。さらに、前記穿刺ガイド１を前記第一突起７に取り付けたときと、前記第二突起８に取り付けたときとで、前記穿刺ガイド１で保持されている前記穿刺針２の取付角度を異なるものとすることができる。
【００３９】
以上、本発明を前記実施形態によって説明したが、この発明はその主旨を変更しない範囲で種々変更実施可能なことはもちろんである。例えば、特に図示しないが、前記第一，第二突起７，８の斜面７ａ，８ａと前記送受波面５とがなす角θ１，θ２が等しく、前記第一突起７に取り付けた前記穿刺ガイド１で前記穿刺針２を保持する場合と、前記第二突起８に取り付けた前記穿刺ガイド１で前記穿刺針２を保持する場合とで、前記超音波プローブ３における前記穿刺針２の取付角度が等しくなっていてもよい。
【図面の簡単な説明】
【００４０】
【図１】本発明の実施形態に係る穿刺ガイドの取付構造を有する超音波プローブを示す正面図である。
【図２】図１に示す超音波プローブから穿刺ガイドを取り外した状態を示す正面図である。
【図３】図２に示す超音波プローブの斜視図である。
【図４】図２に示す超音波プローブの斜視図である。
【図５】穿刺ガイドの拡大斜視図である。
【符号の説明】
【００４１】
１  穿刺ガイド
２  穿刺針
３  超音波プローブ
４  ガイド取付部
５  送受波面
６  先端部
９，１０  凹部
１２，１３  挟着片
１２ａ，１３ａ  対向面
１５，１６  凸部
【図１】
2009153831.tif 000003
【図２】
2009153831.tif 000004
【図３】
2009153831.tif 000005
【図４】
2009153831.tif 000006
【図５】
2009153831.tif 000007